(57)【特許請求の範囲】
【請求項１】
本体の背面に設けた係止孔に、ネジ等で壁等に固定したＬ字状のフックを挿入して係止する壁掛け装置において、前記フック前面に突出部を設ける一方、前記本体背面に同突出部を係止孔に案内するガイドを設けたことを特徴とする壁掛け装置。
【請求項２】
前記ガイドが、前記係止孔に連通する凹溝により形成されてなることを特徴とする請求項１記載の壁掛け装置。
【請求項３】
前記ガイドが、前記係止孔の近傍に至る突状により形成されてなることを特徴とする請求項１記載の壁掛け装置。
【請求項４】
前記ガイドが、前記係止孔の近傍に対向して壁を立設し、同壁の頂点から外側に向かってなだらかに前面側に傾斜する鋸歯状により形成されてなることを特徴とする請求項１記載の壁掛け装置。
【請求項５】
前記ガイドが、前記係止孔を囲む環状の壁を立設し、同壁の頂点から外側に向かってなだらかに前面側に傾斜する鋸歯状により形成されてなることを特徴とする請求項１記載の壁掛け装置。
【請求項６】
前記ガイドが、水平に配置されてなることを特徴とする請求項２、請求項３または請求項４記載の壁掛け装置。
【請求項７】
前記ガイドが、垂直に配置されてなることを特徴とする請求項２、請求項３または請求項４記載の壁掛け装置。
【請求項８】
前記ガイドが、放射状に配置されてなることを特徴とする請求項２または請求項３記載の壁掛け装置。
【請求項９】
前記突出部が、水平に延びる突条により形成されてなることを特徴とする請求項１記載の壁掛け装置。
【請求項１０】
前記突出部が、垂直に延びる突条により形成されてなることを特徴とする請求項１記載の壁掛け装置。
【請求項１１】
前記突出部が、半球により形成されてなることを特徴とする請求項１記載の壁掛け装置。
【請求項１２】
前記突出部が、円柱により形成されてなることを特徴とする請求項１記載の壁掛け装置。
【請求項１３】
前記突状のガイドが、突条に形成されてなることを特徴とする請求項３記載の壁掛け装置。
【請求項１４】
前記突状のガイドが、円柱状の複数の突起により形成されてなることを特徴とする請求項３記載の壁掛け装置。
【請求項１５】
前記鋸歯状のガイドが、平行して複数形成されてなることを特徴とする請求項４記載の壁掛け装置。
【請求項１６】
前記環状のガイドが、同心円状に複数形成されてなることを特徴とする請求項５記載の壁掛け装置。
【発明の詳細な説明】
【０００１】
【発明の属する技術分野】
本発明は、壁掛け装置に係わり、とくに、比較的小型なものを壁に固定したフックに係止する壁掛け装置に関する。
【０００２】
【従来の技術】
従来の壁掛け装置は、図５に示すように、本体１の背面１ａに設けた係止孔２に、ネジ３等で壁４等に固定したＬ字状のフック５を挿入して係止するようにしたものが実用化されている。
しかし、この壁４等に固定したフック５を本体１の背面１ａに備える係止孔２に挿入して係止するには、背面１ａをフック５に当てて、手さぐりで係止孔を探さなければならず、手間の掛かるものであった。
【０００３】
【発明が解決しようとする課題】
本発明は以上述べた問題点を解決し、本体背面に有する係止孔を壁に固定したフックに案内して簡単に係止することのできる壁掛け装置を提供することを目的としている。
【０００４】
【課題を解決するための手段】
本発明は上述の課題を解決するため、本体の背面に設けた係止孔に、ネジ等で壁等に固定したＬ字状のフックを挿入して係止する壁掛け装置において、前記フック前面に突出部を設ける一方、前記本体背面に同突出部を係止孔に案内するガイドを設けた壁掛け装置としている。
【０００５】
前記ガイドが、前記係止孔に連通する凹溝により形成されてなる壁掛け装置としている。
【０００６】
前記ガイドが、前記係止孔の近傍に至る突状により形成されてなる壁掛け装置としている。
【０００７】
前記ガイドが、前記係止孔の近傍に対向して壁を立設し、同壁の頂点から外側に向かってなだらかに前面側に傾斜する鋸歯状により形成されてなる壁掛け装置としている。
【０００８】
前記ガイドが、前記係止孔を囲む環状の壁を立設し、同壁の頂点から外側に向かってなだらかに前面側に傾斜する鋸歯状により形成されてなる壁掛け装置としている。
【０００９】
前記ガイドが、水平に配置されてなる壁掛け装置としている。
【００１０】
前記ガイドが、垂直に配置されてなる壁掛け装置としている。
【００１１】
前記ガイドが、放射状に配置されてなる壁掛け装置としている。
【００１２】
前記突出部が、水平に延びる突条により形成されてなる壁掛け装置としている。
【００１３】
前記突出部が、垂直に延びる突条により形成されてなる壁掛け装置としている。
【００１４】
前記突出部が、半球により形成されてなる壁掛け装置としている。
【００１５】
前記突出部が、円柱により形成されてなる壁掛け装置としている。
【００１６】
前記突状のガイドが、突条に形成されてなる壁掛け装置としている。
【００１７】
前記突状のガイドが、円柱状の複数の突起により形成されてなる壁掛け装置としている。
【００１８】
前記鋸歯状のガイドが、平行して複数形成されてなる壁掛け装置としている。
【００１９】
前記環状のガイドが、同心円状に複数形成されてなる壁掛け装置としている。
【００２０】
【発明の実施の形態】
以上のように、本発明の壁掛け装置においては、フック前面に突出部を設ける一方、本体背面に同突出部を係止孔に案内するガイドを設けたので、まず、本体の背面を壁等に固定されたフックに当て、水平または垂直に移動することによりフックの突出部を本体背面のガイドに当てる、つぎに、このガイドに沿って本体を移動することにより係止孔にフックを挿入することができる。
【００２１】
【実施例】
以下、図面に基づいて本発明による壁掛け装置を詳細に説明する。
図１は本発明による壁掛け装置の一実施例を示す要部斜視図である。
図において、１は小型受信機等の本体、１ａはその背面、２は同背面に備える係止孔、６は同係止孔２に連通するガイドで、本実施例の場合は垂直な凹溝６ａを形成している。
また、５は壁４等にネジ３で固定されるフックで、その前面には前記ガイド６に対応する突出部７が形成されている。
本実施例の場合、前記突出部７は前記垂直な凹溝６ａに対応する垂直な突条部７ａを形成している。
以上の構成において、前記本体１を壁に掛ける手順を説明する。
図１−（Ｃ）に示すように、まず、本体１の背面１ａをフック５に当て、水平に移動して背面１ａに備える垂直な凹溝６ａにフック５の垂直な突状部７ａを挿入する。
つぎに、この凹溝６ａに沿って突条部７ａが移動するように本体１を垂直に移動することにより係止孔２にフック５を挿入することができる。
【００２２】
図２は本発明による壁掛け装置の他の実施例を示す要部斜視図で、図２−（Ａ）は本体１の背面１ａに形成されるガイド６の凹溝形状例を示し、図２−（Ｂ）はフック５の前面に設ける突状部の形状例を示している。
図に示すように、本体１の背面１ａに形成するガイド６用の凹溝は、垂直な凹溝６ａ、水平な凹溝６ｂ、放射状の凹溝６ｃを組み合わせて形成される。
一方、フック５の突出部７は、前記ガイド６の垂直な凹溝６ａ、水平な凹溝６ｂにそれぞれ対応する垂直な突条部７ａ、あるいは水平な突条部７ｂとするか、または、垂直な凹溝６ａ、水平な凹溝６ｂ、放射状の凹溝６ｃのいずれにも対応する半球状の突起７ｃ、円柱状の突起７ｄとしている。
【００２３】
図３は本発明による壁掛け装置の他の実施例を示す要部斜視図である。
本実施例の場合、図３−（Ａ）に示すように、本体１の背面１ａに備える係止孔２に連通するガイド６として、垂直な突条ガイド６ｄを形成している。
本実施例の場合も、図３−（Ｂ）に示すように、図１の場合と同様にして、前記本体１を容易に壁に掛けることができる。
【００２４】
図４は本体１背面１ａに形成される突状のガイド６の形状例を示している。
図４−（Ａ）に示すように、突状のガイド６は、前記垂直な突条ガイド６ｄ、水平な突条ガイド６ｅ、放射状の突条ガイド６ｆを組み合わせて形成される。
また、垂直な突条ガイド６ｄまたは水平な突条ガイド６ｅは、図４−（Ｂ）に示すように、円柱状の突起を複数配置してガイド６を形成するようにしてもよい。
また、図４−（Ｃ）に示すように、垂直な突条ガイド６ｄまたは水平な突条ガイド６ｅを２列にして、前記係止孔２近傍に傾斜部６１を設け、係止孔２にフック５が挿入され易くしてもよい。
【００２５】
図５は本発明による壁掛け装置の他の実施例を示す要部斜視図である。
本実施例の場合、前記ガイド６は、図５−（Ａ）に示すように、本体１の背面１ａに備える係止孔２の近傍に、対向して壁を立設し、同壁の頂上から係止孔２の外側に向かってなだらかに前面側に傾斜し、垂直に延出する鋸歯状ガイド６ｇを形成している。
本実施例の場合も、図５−（Ｂ）に示すように、図１の場合と同様にして、前記本体１を容易に壁に掛けることができる。
【００２６】
図６は前記鋸歯状のガイド６の形状例を示している。
図６−（Ａ）に示すように、前記係止孔の近傍に対向して壁を立設し、同壁の頂上から外側に向かってなだらかに前面側に傾斜し、垂直に延出する鋸歯状ガイド６ｇとするか、図６−（Ｂ）に示すように、前記係止孔の近傍に対向して壁を立設し、同壁の頂上から外側に向かってなだらかに前面側に傾斜し、水平に延出する鋸歯状ガイド６ｈとするか、または、図６−（Ｃ）に示すように、前記係止孔の近傍に環状に壁を立設し、同壁の頂上から外側に向かってなだらかに前面側に傾斜する環状の鋸歯状ガイド６ｉとしている。
図６の実施例の場合は、フック５の突出部７は、図２−（Ｂ）に示す半球状の突起７ｃ、または、円柱状の突起７ｄを使用する。
【００２７】
【発明の効果】
以上説明したように、本発明による壁掛け装置によれば、フック前面に突出部を設ける一方、本体背面に同突出部を係止孔に案内するガイドを設けたので、まず、本体の背面を壁等に固定されたフックに当て、水平または垂直に移動することによりフックの突出部を本体背面のガイドに当てる、つぎに、このガイドに沿って本体を移動することにより係止孔にフックを挿入することができ、本体背面に有する係止孔を壁に固定したフックに案内して簡単に係止することのできる壁掛け装置を提供することができる。
【図面の簡単な説明】
【図１】本発明による壁掛け装置の一実施例を示す図で、（Ａ）は本体背面側から見た要部斜視図、（Ｂ）はフックの要部斜視図、（Ｃ）はその据付手順の説明図ある。
【図２】本発明による壁掛け装置の他の実施例を示す要部斜視図で、（Ａ）は本体の背面に形成されるガイドの凹溝形状例を示し、（Ｂ）はフックの前面に設ける突状部の形状例を示している。
【図３】本発明による壁掛け装置の他の実施例を示す要部斜視図で、（Ａ）は要部斜視図、（Ｂ）はその据付手順の説明図ある。
【図４】本発明による壁掛け装置の他の実施例を示す要部斜視図で、本体背面に形成される突状のガイドの形状例を示している。
【図５】本発明による壁掛け装置の他の実施例を示す図で、（Ａ）は要部斜視図、（Ｂ）はその据付手順の説明図ある。
【図６】本発明による壁掛け装置の他の実施例を示す要部斜視図で、本体背面に形成される鋸歯状のガイドの形状例を示している。
【図７】従来の壁掛け装置を示す要部斜視図である。
【符号の説明】
１  本体
２  係止孔
３  ネジ
４  壁
５  フック
６  ガイド
６ａ  垂直な凹溝
６ｂ  水平な凹溝
６ｃ  放射状の凹溝
６ｄ  垂直な突条ガイド
６ｅ  水平な突条ガイド
６ｆ  放射状の突条ガイド
６ｇ  垂直な鋸歯状ガイド
６ｈ  水平な鋸歯状ガイド
６ｉ  環状の鋸歯状ガイド
７  突出部
７ａ  垂直な突条部
７ｂ  水平な突条部
７ｃ  半球状の突起
７ｄ  円柱状の突起
６１  傾斜部
【図１】
0003931429.tif 000002
【図２】
0003931429.tif 000003
【図３】
0003931429.tif 000004
【図４】
0003931429.tif 000005
【図５】
0003931429.tif 000006
【図６】
0003931429.tif 000007
【図７】
0003931429.tif 000008